(57)【特許請求の範囲】
【請求項１】
ＣＲＴのグリッド端子にダイナミックフォーカス信号を印加するためにＤＣ高電圧を発生するフライバックトランスと、前記高電圧をブリーダ抵抗により分圧しＣＲＴに適したバイアス電圧を発生させさらに前記ダイナミックフォーカス信号のＡＣ波形を重畳するための結合コンデンサと、前記結合コンデンサに入力されＣＲＴに適した大振幅を持つダイナミックフォーカス信号を出力するダイナミックフォーカス増幅器と、を少なくとも含むダイナミックフォーカス回路において、
前記ダイナミックフォーカス増幅器からのダイナミックフォーカス信号に基づいて、前記グリッド端子において適切なバイアス電圧を得るように前記ブリーダ抵抗の接地側の電圧を制御するダイナミックフォーカスＤＣ補正手段を備えたことを特徴とするダイナミックフォーカス回路。
【請求項２】
前記ダイナミックフォーカスＤＣ補正手段は、
前記ダイナミックフォーカス増幅器からのダイナミックフォーカス信号を入力し、その電圧平均値を検出する平均値検出部と、
前記平均値検出部からの平均値バイアス電圧を受け、接地電位と比較し、ＤＣ反転出力を得るＤＣ反転増幅部とを備え、
前記ＤＣ反転増幅部からのＤＣ反転出力電圧により前記ブリーダ抵抗の接地側の電圧を制御し、前記ＣＲＴの表示画角の偏向幅が変化した際に、前記グリッド端子でのダイナミックフォーカス信号に生じるＤＣバイアス電圧のずれを補正することを特徴とする請求項１に記載のダイナミックフォーカス回路。
【請求項３】
前記平均値検出部は、前記ダイナミックフォーカス増幅器からのダイナミックフォーカス信号を一方の端部に受けるコンデンサ（Ｃ５）と、前記コンデンサ（Ｃ５）の他方の端部と接地側との間に接続された抵抗（Ｒ５）と、前記コンデンサ（Ｃ５）と抵抗（Ｒ５）の共通接続点にカソード側を接続したダイオード（Ｄ５）と、前記ダイオード（Ｄ５）のアノード側と接地側との間に接続されたコンデンサ（Ｃ６）と、で構成され、前記ダイオード（Ｄ５）とコンデンサ（Ｃ６）との共通接続点から平均値電圧を出力するようにした請求項２に記載のダイナミックフォーカス回路。
【請求項４】
前記ＤＣ反転増幅部は、前記平均値検出部からの平均値電圧を受ける一方の端部に受ける抵抗（Ｒ６）と、前記抵抗（Ｒ６）の他方の端部を負側端子に接続し正側端子を接地した差動増幅器と、前記差動増幅器の出力側と前記抵抗（Ｒ６）の他方の端部を接続した抵抗（Ｒ７）と、で構成され、前記差動増幅器の出力側が、前記ブリーダ抵抗の接地側の接続されている請求項２に記載のダイナミックフォーカス回路。
【請求項５】
前記ブリーダ抵抗は直列接続された抵抗（Ｒ１）と半固定抵抗（ＶＲ）と抵抗（Ｒ２）で構成され、前記半固定抵抗（ＶＲ）の調整端子が前記グリッド端子に接続され、前記抵抗（Ｒ２）の他方の端部が前記ダイナミックフォーカスＤＣ補正手段に接続された構成において、
前記半固定抵抗（ＶＲ）の調整端子までの抵抗と前記抵抗（Ｒ１）との合成抵抗をＲｔとし、前記半固定抵抗（ＶＲ）の調整端子までの抵抗と前記抵抗（Ｒ２）との合成抵抗をＲｕとしたときに、前記抵抗（Ｒ６）と抵抗（Ｒ７）は、
Ｒ７／Ｒ６＝（Ｒｔ＋Ｒｕ）／Ｒｔ
を満たすように選択される請求項４に記載のダイナミックフォーカス回路。
【発明の詳細な説明】
【０００１】
【発明の属する技術分野】
本発明はＣＲＴをテレビジョン受像機やディスプレイ装置に関し、特に水平及び垂直又はいずれか一方の偏向幅を変化させる機能を有する装置におけるダイナミックフォーカス回路に関する。
【０００２】
【従来の技術】
図３は従来のダイナミックフォーカス回路の一例である。破線で囲われた部分がフライバックトランス（ＦＢＴ）１の一部であり、ダイナミックフォーカス信号（ＤＦ）をＣＲＴのグリッド端子（ＧＴ）に印加する際のバイアス電圧（数ＫＶオーダーの高電圧）を発生する回路部のみを示している。
【０００３】
このＦＢＴ回路部では、高圧捲線Ｌ１，Ｌ２，Ｌ３及び整流ダイオードＤ１，Ｄ２，Ｄ３，Ｄｎにより高圧パルスが発生し、図示しない分布容量により、ダイオードＤｎのカソード側において直流の高圧電圧が得られる。さらにブリーダ抵抗Ｒ１，ＶＲ，Ｒ２が接地側（ＧＮＤ）との間に設けられ、半固定抵抗（ＶＲ）の中央に、所定のバイアス電圧が設定される。このバイアス電圧に結合コンデンサＣ１を介して増幅されたダイナミックフォーカス信号を重畳し、グリッド端子に印加される。
【０００４】
ダイナミックフォーカス信号は、図示しない同期信号処理回路より入力される水平周期及び垂直周期のそれぞれに、パラボラ波と鋸歯状波をある一定の割合で混合した水平補正信号と垂直補正信号を加算器３で加算し、加算出力をダイナミックフォーカス増幅器２で数１００Ｖｐｐ（ピーク−ツー−ピーク）の大振幅まで増幅したものである。上述のように、このダイナミックフォーカス信号は結合コンデンサの一方の側（半固定抵抗ＶＲではない側）に印加される。
【０００５】
図３には、水平及び垂直補正信号として、簡単のためにパラボラ成分のみを図示する。前述のバイアス電圧及びこのダイナミックフォーカス信号は、使用するＣＲＴによって決まる適正値が必要である。従って、工場での調整で水平周期及び垂直周期の補正信号のそれぞれパラボラ波と鋸歯状波とバイアス電圧を、ＣＲＴのグリッド端子において適正値になるように調整している。
【０００６】
図４は従来のダイナミックフォーカス回路の他の例である。図示のように、本回路は、図３の回路にクランプダイオードＤｃとバイアス抵抗Ｒｃを並列接続した回路を半固定抵抗ＶＲに接続したものである。後述するように、クランプダイオードＤｃとバイアス抵抗Ｒｃとによって、ダイナミックフォーカス信号の波形下端をクランプしてバイアス電圧の最下端部における変動を押さえるようにしたものである。
【０００７】
ところで、最近のテレビジョン受像機においては、表示画角が（１６：９）や（４：３）の偏向幅ものが広く存在し、また、パソコン用のディスプレイ装置では従来より各種の同期周波数及び画素数の映像信号を表示する必要がある。このように、同一のＣＲＴに様々な偏向幅の表示を行い、それぞれにおいて最適なフォーカスを得るには偏向幅に応じてダイナミックフォーカス信号の振幅を変えてやる必要がある。
【０００８】
一方、ダイナミックフォーカス信号のＡＣ成分は、使用者が偏向幅（画角）を変える操作をする際に、同期信号処理回路においてダイナミックフォーカス信号の振幅も連動して適正な変化率で変化させることは容易に実現できる。しかしながら、ダイナミックフォーカス信号のＤＣ成分については以下に説明するような問題がある。
【０００９】
図５（ａ），（ｂ）はグリッド端子における電圧の波形図である。実際の波形では水平及び垂直成分が重畳されているが、線形な加算なのでどちらか一方のみで考察すればよい。（ａ），（ｂ）のように偏向幅に比例して、同期信号処理回路により振幅を拡大するが、その際にＣＲＴ管面全体のフォーカスを適正値に保つためには、（ｂ）のように画面中心（上に開いたパラボラ波の最下端部）のＤＣ電位が変動しないように保持される必要がある。しかしながら、図３の構成ではダイナミックフォーカス信号の振幅を変えた場合は、図５（ａ）のように、パラボラ波の最下端部が変動するようになり、その結果、管面全体のフォーカスがずれるという問題を生じる。
【００１０】
このような問題があっても、従来、一般的には、偏向幅が変わってもダイナミックフォーカス信号の振幅を固定値のままにしたり、あるいは偏向幅の変化に応じて連動して変化させる場合でも、何ら対処せずに図５（ａ）の特性のまま用いたり、いずれもフォーカスのずれを許容した設計が主であった。
一方、比較的高精細が求められる装置の回路構成例として、上述した図４に示す構成がある。図４回路では、半固定抵抗（ＶＲ）の中央を用いて、ダイナミックフォーカス信号の波形下端をクランプすることにより、図５（ｂ）に示すように最下端部の変動しない特性を得るものである。図４構成では、図３のＦＢＴ回路部と結合コンデンサとの間に、クランプダイオードＤｃとバイアス抵抗Ｒｃが並列接続されている。この構成であれば、フォーカスのずれのない偏向幅の変更ができる。
【００１１】
【発明が解決しようとする課題】
しかしながら、図４の回路構成には価格的な問題がある。即ち、半固定抵抗ＶＲとクランプダイオードＤｃは、ＦＢＴ回路部１の数ＫＶの高圧部分に接続されているので危険なため、ＦＢＴ回路部１に内蔵された絶縁材料で充填する必要がある。しかしながら、一般にＦＢＴは内蔵される部品を共通化し、量産効果に基づいて供給される専用部品であるため、このようなクランプダイオードＤｃとバイアス抵抗Ｒｃを絶縁材料で充填した特殊仕様を追加したＦＢＴは、必ずしも容易に安価に入手できないものであった。このため図４の構成では価格的な点において問題があり、このことは価格競争の熾烈な製品分野において大きな問題であった。従って、図４構成に代わる安価な回路対策が求められていた。
【００１２】
本発明の目的は、上記の問題の鑑みてなされたもので、偏向幅が可変な高精細テレビジョン受像機やディスプレイ装置において、ＦＢＴに特殊な仕様を求めることなく、偏向幅が変更されてもフォーカスずれを生じず、かつ安価なダイナミックフォーカス回路を提供することにある。
【００１３】
【課題を解決するための手段】
本発明によれば、ＣＲＴのグリッド端子にダイナミックフォーカス信号を印加するためにＤＣ高電圧を発生するフライバックトランスＦＢＴと、前記高電圧をブリーダ抵抗により分圧しＣＲＴに適したバイアス電圧を発生させさらに前記ダイナミックフォーカス信号のＡＣ波形を重畳するための結合コンデンサＣ１と、前記結合コンデンサに入力されＣＲＴに適した大振幅を持つダイナミックフォーカス信号を出力するダイナミックフォーカス増幅器２と、を少なくとも含むダイナミックフォーカス回路において、
前記ダイナミックフォーカス増幅器２からのダイナミックフォーカス信号ＤＦに基づいて、前記グリッド端子ＧＴにおいて適切なバイアス電圧を得るように前記ブリーダ抵抗の接地側の電圧を制御するダイナミックフォーカスＤＣ補正手段４を備えたことを特徴とする。
【００１４】
好ましくは、前記ダイナミックフォーカスＤＣ補正手段は、前記ダイナミックフォーカス増幅器からのダイナミックフォーカス信号を入力し、その電圧平均値を検出する平均値検出部４１と、前記平均値検出部からのバイアス電圧を受け、接地電位と比較し、ＤＣ反転出力を得るＤＣ反転増幅部４２とを備え、
前記ＤＣ反転増幅部４２からの出力電圧により前記ブリーダ抵抗の接地側の電圧を制御し、前記ＣＲＴの表示画角の偏向幅が変化した際に、前記グリッド端子のダイナミックフォーカス信号に生じるＤＣバイアス電圧のずれを補正する。
【００１５】
さらに好ましくは、前記平均値検出部４１は、前記ダイナミックフォーカス増幅器からのダイナミックフォーカス信号を一方の端部に受けるコンデンサＣ５と、前記コンデンサＣ５の他方の端部と接地側との間に接続された抵抗Ｒ５と、前記コンデンサＣ５と抵抗Ｒ５の共通接続点にカソード側を接続したダイオードＤ５と、前記ダイオードＤ５のアノード側と接地側との間に接続されたコンデンサＣ６と、で構成され、前記ダイオードＤ５とコンデンサＣ６との共通接続点から平均値電圧を出力する。
【００１６】
さらに好ましくは、前記ＤＣ反転増幅部４２は、前記平均値検出部４１からの平均値電圧を受ける一方の端部に受ける抵抗Ｒ６と、前記抵抗Ｒ６の他方の端部を負側端子に接続し正側端子を接地した差動増幅器４２１と、前記差動増幅器４２１の出力側と前記抵抗Ｒ６の他方の端部を接続した抵抗Ｒ７と、で構成され、前記差動増幅器の出力側が、前記ブリーダ抵抗の接地側の接続されている。
【００１７】
さらに好ましくは、前記ブリーダ抵抗は直列接続された抵抗Ｒ１と半固定抵抗ＶＲと抵抗Ｒ２で構成され、前記半固定抵抗ＶＲの調整端子が前記グリッド端子に接続され、前記抵抗Ｒ２の他方の端部が前記ダイナミックフォーカスＤＣ補正手段に接続された構成において、
前記半固定抵抗ＶＲの調整端子までの抵抗と前記抵抗Ｒ１との合成抵抗をＲｔとし、前記半固定抵抗ＶＲの調整端子までの抵抗と前記抵抗Ｒ２との合成抵抗をＲｕとしたときに、前記抵抗Ｒ６と抵抗Ｒ７は、
Ｒ７／Ｒ６＝（Ｒｔ＋Ｒｕ）／Ｒｔ
を満たすように選択される。
【００１８】
【発明の実施の形態】
以下、本発明の実施形態を図面に沿って説明する。
図１は、本発明によるダイナミックフォーカスＤＣ補正回路を含むダイナミックフォーカス回路を示す。図示のように、本発明では、図３の回路構成に、新たにダイナミックフォーカスＤＣ補正回路４を、図示のように、ＦＢＴ回路部１のブリーダ抵抗Ｒ１，ＶＲ，Ｒ２の接地側（ＧＮＤ）に追加するものである。
【００１９】
このダイナミックフォーカスＤＣ補正回路４は、ダイナミックフォーカスフォーカス増幅器２からのダイナミックフォーカス信号ＤＦを入力し、そのＤＣバイアス電圧（波形の平均値）を検出し、ＤＣ増幅してブリーダ抵抗の下端（接地側）の電圧を制御する。このような下端電圧の制御によりグリッド端子から図５（ｂ）に示す出力特性を得るものである。
【００２０】
図２は、図１のダイナミックフォーカスＤＣ補正回路の一実施形態としての詳細構成図である。図示のように、本発明のダイナミックフォーカスＤＣ補正回路４は、平均値検出部４１とＤＣ反転増幅部４２からなる２つのブロックで構成される。
平均値検出部４１は、ダイナミックフォーカス増幅器２からダイナミックフォーカス信号を入力し、コンデンサＤ５及び抵抗Ｒ５により、０（Ｖ）にバイアスし直すものである。図示するＣ５，Ｒ５の接続点の波形において、ＧＮＤ以下の電位部分（０（Ｖ）以下の部分）である“Ｖ”の電位が必要なバイアス電圧情報を反映したものであるから、Ｃ５及びＲ５の接続点に図示の向きに接続されたダイオードＤ５と、このダイオードＤ５の他方の端部とＧＮＤに接続されたコンデンサＣ６によって検波しホールドする。
【００２１】
次にＤＣ反転増幅部４２では、“Ｖ”電圧を、抵抗Ｒ６を介して差動アンプ４２１の入力側の負側端子に入力し、正側端子に入力されたＧＮＤ電位と比較し、抵抗Ｒ６，Ｒ７によりＤＣ反転出力電圧を得る。
ここで、抵抗Ｒ６，Ｒ７は、ＦＢＴ内のブリーダ抵抗の両端から半固定抵抗ＶＲまでの各抵抗値Ｒｔ及びＲｕとの間に、
Ｒ７／Ｒ６＝（Ｒｔ＋Ｒｕ）／Ｒｔ                  …  （１）
を満たす関係になるように、抵抗Ｒ６及びＲ７の抵抗値を選択する。なお、この場合の半固定抵抗ＶＲの中央は、最終的なダイナミックフォーカス調整の済んだ状態のＶＲ位置に近い方が補正誤差は少なくなる。
【００２２】
このような構成により、“Ｖ”電圧がダイナミックフォーカス信号の振幅調整により変動した場合に、ブリーダ抵抗の下端電圧が補正され、グリッド端子には図５（ｂ）の形の波形変化が現れ、偏向幅が変更になってもフォーカスずれの無いダイナミックフォーカス電圧を得ることができる。
【００２３】
【発明の効果】
本発明によれば、従来のＣＲＴ方式のテレビジョン受像機やディスプレイ装置では、表示画角（ＣＲＴにおいては偏向幅）の多様化に対して、多くの場合、原理的にダイナミックフォーカスのずれが生じるとしても、そのまま容認していた。しかし、表示装置としての高精細化が進むにつれて、このフォーカスずれは許容できなくなった。本発明によれば、偏向幅を可変させる際に、従来のＦＢＴをそのまま用いてダイナミックフォーカスのＤＣ的なずれを補正することができ、高精細化に対応することができる。
【図面の簡単な説明】
【図１】本発明によるダイナミックフォーカスＤＣ補正回路を含むダイナミックフォーカス回路を示す。
【図２】図１のダイナミックフォーカスＤＣ補正回路の一実施形態としての詳細構成図である。
【図３】従来のダイナミックフォーカス回路の一例である。
【図４】従来のダイナミックフォーカス回路の他の例である。
【図５】（ａ），（ｂ）はグリッド端子電圧の波形図である。
【符号の説明】
１…フライバックトランス（ＦＢＴ）
２…ダイナミックフォーカス増幅器
３…加算器
４…ダイナミックフォーカスＤＣ補正回路
４１…平均値検出部
４２…ＤＣ反転増幅部
【図１】
0004188492.tif 000002
【図２】
0004188492.tif 000003
【図３】
0004188492.tif 000004
【図４】
0004188492.tif 000005
【図５】
0004188492.tif 000006